【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
装置であって、
テレビ番組に関連した競争における競争者を表す金融商品を買う旨の第１の注文をトレーダー群のうちの第１のトレーダーから受け取り、
前記金融商品を売る旨の第２の注文を前記トレーダー群のうちの第２のトレーダーから受け取り、
前記競争における前記競争者の実績及び前記競争の段階に関連付けられた結果の少なくとも一方、並びに、前記第１の注文、及び前記第２の注文に少なくとも部分的に基づいて前記金融商品の価格を決定し、
前記価格で売買を実行し、
前記競争者が前記競争で負けた場合、前記価格をゼロに低減させる
よう動作可能なプロセッサと、
前記第１の注文及び前記第２の注文の少なくとも一方を格納するよう動作可能なメモリと
を備える装置。
【請求項２】
請求項１記載の装置であって、前記プロセッサが、
前記競争者の性質に少なくとも部分的に基づいて前記金融商品の当初価格を判定するよう動作可能である装置。
【請求項３】
請求項１記載の装置であって、前記プロセッサが、
前記競争の少なくとも１つの後続段階に関連した後続結果に少なくとも部分的に基づいて前記価格を調整する
よう更に動作可能である装置。
【請求項４】
請求項３記載の装置であって、前記価格を調整することが、
前記競争の各段階後に前記価格を調整すること
を含む装置。
【請求項５】
請求項１記載の装置であって、前記プロセッサは、
前記競争者の後続段階の先まで前記競争者が進んだ場合に、前記第１のトレーダーに配当を与える
よう更に動作可能である装置。
【請求項６】
請求項１記載の装置であって、前記プロセッサは、
前記テレビ番組の話の間に前記金融商品のトレーディングを一時的に停止する
よう更に動作可能である装置。
【請求項７】
請求項１記載の装置であって、前記プロセッサは、
前記第１のトレーダーに関連した金融商品の第１のポートフォリオを、前記第２のトレーダーに関連した金融商品の第２のポートフォリオと比較し、
前記第１のポートフォリオと前記第２のポートフォリオとの間の比較に少なくとも部分的に基づいて前記トレーダー群からの、勝利を得たトレーダーを判定する
よう更に動作可能である装置。
【請求項８】
請求項１記載の装置であって、前記金融商品は株式を含む装置。
【請求項９】
請求項１記載の装置であって、前記金融商品は債券を含む装置。
【請求項１０】
請求項１記載の装置であって、前記競争者が前記競争で負けた場合、前記価格をゼロに低減させることが、
前記競争者が前記競争から脱落したと判定すると、前記価格をゼロに低減させること
を含む装置。
【請求項１１】
請求項１記載の装置であって、前記競争の前記段階は、前記競争の複数の段階のうちの１つであり、前記競争の前記複数の段階はそれぞれ、前記テレビ番組のうちの複数の話に対応する装置。
【請求項１２】
請求項１記載の装置であって、前記競争の前記段階は、前記テレビ番組の話に対応する装置。
【請求項１３】
請求項１記載の装置であって、
前記第１のトレーダーは第１の電子通貨アカウントと関連しており、
前記第２のトレーダーは第２の電子通貨アカウントと関連しており、
前記プロセッサは、
売買によって前記第１の電子通貨アカウントから控除し、
前記売買の収入を前記第２の電子通貨アカウントに計上する
よう更に動作可能である装置。
【請求項１４】
請求項１記載の装置であって、前記プロセッサは、
前記金融商品に関連した償還価値を決定し、
前記競争の後続する少なくとも１つの後続段階に関連した後続結果に少なくとも部分的に基づいて前記償還価値を調整する
よう更に動作可能である装置。
【請求項１５】
請求項１４記載の装置であって、前記償還価値は、前記金融商品のシェアを取引所が償還する最大価値を表す装置。
【請求項１６】
請求項１記載の装置であって、前記プロセッサは、
前記第１のトレーダーに関連した金融商品のポートフォリオの内容を、前記ポートフォリオにおける前記金融商品の合計シェアのうちの構成可能な割合のシェアを前記ポートフォリオにおける前記金融商品のシェアの数が超えないように規制する
よう更に動作可能である装置。
【請求項１７】
請求項１記載の装置であって、前記プロセッサは、
パスコードを前記第１のトレーダーから受け取り、
前記金融商品の売買に参加する資格を前記第１のトレーダーが有するということを前記パスコードに少なくとも部分的に基づいて検証する
よう更に動作可能である装置。
【請求項１８】
請求項２記載の装置であって、前記競争者の前記性質は、前記競争者の実績、前記競争者の記録、前記競争者のランキング、及び前記競争者のスキルのうちの少なくとも１つを含む装置。
【請求項１９】
請求項１３記載の装置であって、電子通貨は、現実通貨バック電子通貨及び人工通貨バック電子通貨の少なくとも一方である装置。
【請求項２０】
請求項１記載の装置であって、売買を実行することが、
現実通貨及び人工通貨の少なくとも一方を使用して前記価格で前記金融商品の売買を実行すること
を含む装置。
【請求項２１】
請求項１記載の装置であって、前記テレビ番組が、現実に基づくＴＶシリーズ番組を含む装置。
【請求項２２】
請求項１記載の装置であって、前記テレビ番組がゲーム番組を含む装置。
【請求項２３】
請求項１４記載の装置であって、前記償還価値は前記金融商品のシェアを取引所が償還する最小価値を表す装置。
【請求項２４】
請求項１記載の装置であって、前記プロセッサは、
前記第１のトレーダーに関連した金融商品のポートフォリオの内容を、前記金融商品の全発行シェアのうちの構成可能な割合のシェアを超えるシェアを前記ポートフォリオが含まないように規制する
よう更に動作可能である装置。
【請求項２５】
請求項１７記載の装置であって、前記第１のトレーダーは、特定の商品の購入により、前記パスコードを取得している装置。
【請求項２６】
請求項１記載の装置であって、前記プロセッサは、
前記トレーダー群を規定する
よう更に動作可能であり、前記トレーダー群は、前記金融商品の売買に参加する資格を有する装置。
【請求項２７】
請求項２６記載の装置であって、前記トレーダー群を規定することは、
インターネット・サービスへの加入者のステータス、特定の組織に対するメンバーシップのステータス、及び特定の企業に対する顧客のステータスの少なくとも１つに少なくとも部分的に基づいて前記トレーダー群を規定すること
を含む装置。
【請求項２８】
請求項１記載の装置であって、前記プロセッサは、第２の金融商品の第２の価格を求めるよう更に動作可能であり、前記第２の金融商品は、前記テレビ番組に関連した前記競争における第２の競争者、及び別のテレビ番組に関連した別の競争における別の競争者のうちの少なくとも１つを表し、前記プロセッサは、
前記第２の価格で第２の売買を実行するよう更に動作可能である装置。
【請求項２９】
装置であって、
金融商品の当初価格を判定するよう動作可能なプロセッサであって、前記プロセッサは、競争における競争者の性質に少なくとも部分的に基づいて前記当初価格を判定するよう動作可能であり、前記金融商品は前記競争における前記競争者を表し、
前記金融商品を買う旨の第１の注文をトレーダー群のうちの第１のトレーダーから受け取り、
前記金融商品を売る旨の第２の注文を前記トレーダー群のうちの第２のトレーダーから受け取り、
前記第１の注文、及び前記第２の注文に少なくとも部分的に基づいて前記金融商品の価格を決定し、
前記価格で前記金融商品の売買を実行し、
前記競争における前記競争者の実績及び前記競争の段階に関連付けられた結果の少なくとも一方に少なくとも部分的に基づいて前記金融商品の調整価格を決定し、
前記調整価格における後続する複数の売買を実行し、
前記競争者が前記競争に負けた場合、前記調整価格をゼロに低減させるプロセッサと、
前記第１の注文及び前記第２の注文の少なくとも一方を格納するよう動作可能なメモリと
を備える装置。
【請求項３０】
請求項２９記載の装置であって、前記競争者の前記性質は、前記競争者の実績、前記競争者の記録、前記競争者のランキング、及び前記競争者のスキルのうちの少なくとも１つを含む装置。
【請求項３１】
請求項２９記載の装置であって、前記競争者が前記競争で負けた場合、前記調整価格をゼロに低減させることが、
前記競争者が前記競争から脱落したと判定すると、前記調整価格をゼロに低減させること
を含む装置。
【請求項３２】
請求項２９記載の装置であって、前記プロセッサは、
前記競争者の後続段階の先まで前記競争者が進んだ場合に、前記第１のトレーダーに配当を与える
よう更に動作可能である装置。
【請求項３３】
請求項２９記載の装置であって、前記プロセッサは、
前記第１のトレーダーに関連した金融商品の第１のポートフォリオを、前記第２のトレーダーに関連した金融商品の第２のポートフォリオと比較し、
前記第１のポートフォリオと前記第２のポートフォリオとの間の比較に少なくとも部分的に基づいて前記トレーダー群から、勝利を得たトレーダーを判定する
よう更に動作可能である装置。
【請求項３４】
請求項２９記載の装置であって、前記金融商品は株式を含む装置。
【請求項３５】
請求項２９記載の装置であって、前記金融商品は債券を含む装置。
【請求項３６】
請求項２９記載の装置であって、売買を実行することが、
現実通貨及び人工通貨の少なくとも一方を使用して前記価格で前記金融商品の売買を実行すること
を含む装置。
【請求項３７】
請求項２９記載の装置であって、前記プロセッサは、
前記金融商品に関連した償還価値を決定し、
前記競争の少なくとも１つの後続段階に関連した後続結果に少なくとも部分的に基づいて前記償還価値を調整する
よう更に動作可能である装置。
【請求項３８】
請求項３７記載の装置であって、前記償還価値は前記金融商品のシェアを取引所が償還する最小価値を表す装置。
【請求項３９】
請求項２９記載の装置であって、前記プロセッサは、
前記第１のトレーダーに関連した金融商品のポートフォリオの内容を、前記ポートフォリオにおける前記金融商品の合計シェアのうちの構成可能な割合のシェアを前記ポートフォリオにおける前記金融商品のシェアの数が超えないように規制する
よう更に動作可能である装置。
【請求項４０】
請求項２９記載の装置であって、前記プロセッサは、
前記第１のトレーダーに関連した金融商品のポートフォリオの内容を、前記金融商品の全発行シェアのうちの構成可能な割合のシェアを超えるシェアを前記ポートフォリオが含まないように規制する
よう更に動作可能である装置。
【請求項４１】
請求項２９記載の装置であって、前記プロセッサは、パスコードを前記第１のトレーダーから受け取るよう動作可能であり、前記第１のトレーダーは、特定の商品の購入により、前記パスコードを取得しており、前記プロセッサは更に、
前記金融商品の売買に参加する資格を前記第１のトレーダーが有するということを前記パスコードに少なくとも部分的に基づいて検証するよう更に動作可能である装置。
【請求項４２】
請求項２９記載の装置であって、前記プロセッサは、
前記トレーダー群を規定する
よう更に動作可能であり、前記トレーダー群は、前記金融商品の売買に参加する資格を有する装置。
【請求項４３】
請求項４２記載の装置であって、前記トレーダー群を規定することは、
インターネット・サービスへの加入者のステータス、特定の組織に対するメンバーシップのステータス、及び特定の企業に対する顧客のステータスの少なくとも１つに少なくとも部分的に基づいて前記トレーダー群を規定すること
を含む装置。
【請求項４４】
請求項２９記載の装置であって、前記プロセッサは、第２の金融商品の第２の価格を求めるよう更に動作可能であり、前記第２の金融商品は、前記競争における第２の競争者、及び別の競争における別の競争者のうちの少なくとも１つを表し、
前記第２の価格で第２の売買を実行する
よう更に動作可能である装置。
【請求項４５】
請求項２９記載の装置であって、
前記競争はスポーツ・トーナメントを含み、
前記競争者は、スポーツ選手、及び前記スポーツ・トーナメントにおけるチームを含む装置。
【請求項４６】
請求項２９記載の装置であって、前記競争はテレビ番組に関連付けられる装置。
【請求項４７】
請求項４６記載の装置であって、前記プロセッサは、
前記テレビ番組の話の間に前記金融商品のトレーディングを一時的に停止する
よう更に動作可能である装置。
【請求項４８】
請求項２９記載の装置であって、
前記競争は受賞イベントを含み、
前記競争者は、前記受賞イベントにおける少なくとも一の受賞候補者を含む装置。
【請求項４９】
請求項２９記載の装置であって、
前記競争は選挙を含み、
前記競争者は、前記選挙において対抗する少なくとも一の政治家を含む装置。
【請求項５０】
請求項２９記載の装置であって、
前記競争は調査を含み、
前記競争者は少なくとも一の個人を含み、前記少なくとも一の個人は前記調査の対象である装置。
【請求項５１】
方法であって、
テレビ番組に関連した競争における競争者を表す金融商品を買う旨の第１の注文を、トレーダー群の第１のトレーダーから、計算装置のプロセッサによって受け取る工程と、
前記金融商品を売る旨の第２の注文を、前記トレーダー群の第２のトレーダーから、前記プロセッサによって受け取る工程と、
前記競争における前記競争者の実績及び前記競争の段階に関連付けられた結果の少なくとも一方、並びに、前記第１の注文、及び前記第２の注文に少なくとも部分的に基づいて前記金融商品の価格を前記プロセッサによって決定する工程と、
前記価格で売買を前記プロセッサによって実行する工程と、
前記競争者が前記競争で負けた場合、前記価格をゼロに低減させる工程と
を含む方法。
【請求項５２】
方法であって、
金融商品の当初価格を、コンピューティング装置のプロセッサによって判定する工程であって、前記当初価格は、競争における競争者の性質に少なくとも部分的に基づいて判定され、前記金融商品は前記競争における前記競争者を表す工程と、
前記金融商品を買う旨の第１の注文をトレーダー群のうちの第１のトレーダーから前記プロセッサによって受け取る工程と、
前記金融商品を売る旨の第２の注文を前記トレーダー群のうちの第２のトレーダーから前記プロセッサによって受け取る工程と、
前記第１の注文、及び前記第２の注文に少なくとも部分的に基づいて前記金融商品の価格を前記プロセッサによって決定する工程と、
前記価格で前記金融商品の売買を前記プロセッサによって実行する工程と、
前記競争における前記競争者の実績及び前記競争の段階に関連付けられた結果の少なくとも一方に少なくとも部分的に基づいて前記金融商品の調整価格を前記プロセッサによって決定する工程と、
前記調整価格における後続する複数の売買を前記プロセッサによって実行する工程と、
前記競争者が前記競争に負けた場合、前記調整価格をゼロに、前記プロセッサによって低減させる工程と
を含む方法。